(57)【要約】【課題】報償遊技媒体数に基づいた特殊景品の発行や特殊景品から交換品への交換などを大幅に自動化する。自動化しても、十分なセキュリティを確保する。【解決手段】本発明の特殊景品処理システムは特殊景品発行装置と特殊景品交換装置とを有する。特殊景品発行装置は、特殊景品を発行する際、非接触通信によって、特殊景品のタグに発行区別情報を書き込むと共に、今回排出する特殊景品に対応する交換品の価値や個数などを規定する特定情報を、特殊景品交換装置に所定のタイミングで転送させる。特殊景品交換装置は、挿入された特殊景品から非接触通信によって発行区別情報を得、この発行区別情報と、挿入された特殊景品について、特殊景品発行装置側から、予め得ていた、又は、今回の特殊景品の挿入タイミングで得た特定情報とに少なくとも基づいて、挿入された特殊景品の正当性を確認して、交換品を排出させる。【選択図】　　　図１
2004121452.tif 000002
【特許請求の範囲】
【請求項１】
報償遊技媒体数に応じた価値及び又は個数の特殊景品を発行する、遊技場内に設けられた特殊景品発行装置と、発行された特殊景品を交換品に交換する、特殊景品交換所に設けられた特殊景品交換装置とを有する特殊景品処理システムの構成要素である上記特殊景品発行装置であって、
非接触通信により、内部の記憶部に情報を書き込んだり、内部の記憶部から情報を読み出したりできるタグを有する、多数の上記特殊景品を貯蔵し、排出指令により１個又は指示された個数の上記特殊景品を排出させる特殊景品貯蔵・排出手段と、
上記特殊景品との非接触通信を行う非接触通信手段と、
上記特殊景品の発行処理を区別する発行区別情報を発生する発行区別情報発生手段と、
上記特殊景品交換装置との間で、直接、又は、情報転送中継装置を介して、情報を授受する対交換装置情報授受手段と、
報償遊技媒体数が入力されると、今回の発行処理に係る発行区別情報を上記発行区別情報発生手段によって発生させ、上記非接触通信手段によって少なくともこの発行区別情報を排出しようとする上記特殊景品に書き込んで排出させると共に、今回排出する上記特殊景品に対応する上記交換品の価値や個数などを規定する特定情報を、上記対交換装置情報授受手段によって、所定のタイミングで転送させる発行制御手段と
を備えたことを特徴とする特殊景品発行装置。
【請求項２】
報償遊技媒体数に応じた価値及び又は個数の特殊景品を発行する、遊技場内に設けられた特殊景品発行装置と、発行された特殊景品を交換品に交換する、特殊景品交換所に設けられた特殊景品交換装置とを有する特殊景品処理システムの構成要素である上記特殊景品交換装置であって、
非接触通信により、内部の記憶部に情報を書き込んだり、内部の記憶部から情報を読み出したりできるタグを有する、挿入された上記特殊景品を取り込む特殊景品取込手段と、
取り込まれた上記特殊景品との非接触通信を行う非接触通信手段と、
上記特殊景品発行装置との間で、直接、又は、情報転送中継装置を介して、情報を授受する対交換装置情報授受手段と、
多数の上記交換品を貯蔵し、排出指令により１個又は指示された個数の上記交換品を排出させる交換品貯蔵・排出手段と、
上記非接触通信手段が取り込まれた上記特殊景品から得た発行区別情報と、上記対発行装置情報授受手段によって、取り込まれた上記特殊景品について、上記特殊景品発行装置側から予め得ていた、又は、今回の上記特殊景品の挿入タイミングで上記特殊景品発行装置側から得た上記交換品の価値や個数などを規定する特定情報とに少なくとも基づいて、取り込まれた上記特殊景品の正当性を確認して、上記交換品貯蔵・排出手段から、１個又は所定個数の上記交換品を排出させる交換制御手段と
を備えたことを特徴とする特殊景品交換装置。
【請求項３】
請求項１に記載の特殊景品発行装置と、請求項２に記載の特殊景品交換装置とを有することを特徴とする特殊景品処理システム。
【発明の詳細な説明】
【０００１】
【発明の属する技術分野】
本発明は、特殊景品発行装置、特殊景品交換装置及び特殊景品処理システムに関し、例えば、報酬遊技媒体数が変換される特殊景品の発行や交換をできるだけ自動化しようとしたものである。
【０００２】
【従来の技術】
パチンコ遊技機やパチスロ遊技機等を設置している遊技場において、遊技者の多くは、遊技の結果の報償として得た遊技媒体を、遊技場内景品交換所で特殊景品に交換することが多い。
【０００３】
このような特殊景品として、価値が異なる複数種類のものを適用し、外見で容易に区別できるような単純な形状のものを適用している。しかしながら、複数種類の特殊景品が多数、特殊景品交換所に持ち込まれた場合には、その換金金額の計算を間違うこともあった。また、ケース内部に物品を収容している特殊景品の場合、中身の物品が抜き取られていたり、中身の物品が低価値の物品に置き換えられていたりしても、そのことを容易に発見できないこともあった。
【０００４】
【特許文献１】
特開平１０−２５６９６０号公報
このような不都合を解決するため、ＩＣタグを埋め込んだカード状の特殊景品を適用することが、特許文献１によって提案されている。この特殊景品では、ＩＣタグには遊技場のＩＤ等のコードが書き込まれている。
【０００５】
【発明が解決しようとする課題】
しかしながら、特許文献１の記載の方法でも、特殊景品交換所の係員が、特殊景品の換金処理を行わなければならなかった。
【０００６】
また、ＩＣタグを埋め込んだカード状の特殊景品が偽造されて特殊景品交換所に持ち込まれても、コードが一致していれば、その偽造を発見できない恐れがあった。すなわち、遊技場内景品交換所で正規に引き渡された特殊景品か否かを確認できない恐れがあった。
【０００７】
さらに、ＩＣタグを埋め込んだ特殊景品でも、対応する遊技媒体数（言い換えると換金価値）が固定であるため、多数の特殊景品を１遊技者に渡すことも多く、特殊景品交換所での特殊景品の正当性確認に多大な時間を要することもあり得る。
【０００８】
そのため、報償遊技媒体数から特殊景品への交換や特殊景品から金銭等への交換などを遊技場関係者を介さずに実行できたり、特殊景品からの金銭等への交換のセキュリティを高めたり、及び又は、報償遊技媒体数から特殊景品への交換や特殊景品から金銭等への交換等を迅速にできたりするなど、従来に比してメリットが大きい、特殊景品発行装置、特殊景品交換装置及び特殊景品処理システムが望まれている。
【０００９】
【課題を解決するための手段】
第１の本発明の特殊景品発行装置は、報償遊技媒体数に応じた価値及び又は個数の特殊景品を発行する、遊技場内に設けられた特殊景品発行装置であり、発行された特殊景品を交換品に交換する、特殊景品交換所に設けられた特殊景品交換装置と共に、特殊景品処理システムの構成要素となっている。
【００１０】
第１の本発明の特殊景品発行装置は、（１）非接触通信により、内部の記憶部に情報を書き込んだり、内部の記憶部から情報を読み出したりできるタグを有する、多数の上記特殊景品を貯蔵し、排出指令により１個又は指示された個数の上記特殊景品を排出させる特殊景品貯蔵・排出手段と、（２）上記特殊景品との非接触通信を行う非接触通信手段と、（３）上記特殊景品の発行処理を区別する発行区別情報を発生する発行区別情報発生手段と、（４）上記特殊景品交換装置との間で、直接、又は、情報転送中継装置を介して、情報を授受する対交換装置情報授受手段と、（５）報償遊技媒体数が入力されると、今回の発行処理に係る発行区別情報を上記発行区別情報発生手段によって発生させ、上記非接触通信手段によって少なくともこの発行区別情報を排出しようとする上記特殊景品に書き込んで排出させると共に、今回排出する上記特殊景品に対応する上記交換品の価値や個数などを規定する特定情報を、上記対交換装置情報授受手段によって、所定のタイミングで転送させる発行制御手段とを備えたことを特徴とする。
【００１１】
第２の本発明の特殊景品交換装置は、発行された特殊景品を交換品に交換する特殊景品交換所に設けられた特殊景品交換装置であり、報償遊技媒体数に応じた価値及び又は個数の特殊景品を発行する、遊技場内に設けられた特殊景品発行装置と共に、特殊景品処理システムの構成要素となっている。
【００１２】
第２の本発明の特殊景品交換装置は、（１）非接触通信により、内部の記憶部に情報を書き込んだり、内部の記憶部から情報を読み出したりできるタグを有する、挿入された上記特殊景品を取り込む特殊景品取込手段と、（２）取り込まれた上記特殊景品との非接触通信を行う非接触通信手段と、（３）上記特殊景品発行装置との間で、直接、又は、情報転送中継装置を介して、情報を授受する対交換装置情報授受手段と、（４）多数の上記交換品を貯蔵し、排出指令により１個又は指示された個数の上記交換品を排出させる交換品貯蔵・排出手段と、（４）上記非接触通信手段が取り込まれた上記特殊景品から得た発行区別情報と、上記対発行装置情報授受手段によって、取り込まれた上記特殊景品について、上記特殊景品発行装置側から予め得ていた、又は、今回の上記特殊景品の挿入タイミングで上記特殊景品発行装置側から得た上記交換品の価値や個数などを規定する特定情報とに少なくとも基づいて、取り込まれた上記特殊景品の正当性を確認して、上記交換品貯蔵・排出手段から、１個又は所定個数の上記交換品を排出させる交換制御手段とを備えたことを特徴とする。
【００１３】
第３の本発明の特殊景品処理システムは、第１の本発明の特殊景品発行装置と、第２の本発明の特殊景品交換装置とを有することを特徴とする。
【００１４】
【発明の実施の形態】
（Ａ）第１の実施形態
以下、本発明による特殊景品発行装置、特殊景品交換装置及び特殊景品処理システムの第１の実施形態を図面を参照しながら説明する。
【００１５】
（Ａ−１）第１の実施形態の構成
図１は、第１の実施形態の特殊景品処理システムの全体構成を示すブロック図である。
【００１６】
図１において、第１の実施形態の特殊景品処理システム１は、遊技場内（例えば、景品交換場の近傍）に設けられている特殊景品発行装置２と、例えば、遊技場外部の景品交換所に設けられている特殊景品交換装置３とを有し、特殊景品発行装置２及び特殊景品交換装置３は、専用回線又はネットワーク等が該当する通信路４を介して通信可能に接続されている。
【００１７】
なお、図１では、１個の特殊景品発行装置２だけが、特殊景品交換装置３に接続可能なような表現になっているが、複数の特殊景品発行装置２が、同一の特殊景品交換装置３に接続されるようにしても良い。
【００１８】
特殊景品発行装置２は、特殊景品を発行するものであり、対交換装置通信部２０、制御部２１、ジャーナルデータベース２２、発行ＩＤ発生部２３、非接触通信部２４、計数情報読取部２５、特殊景品貯蔵・排出部２６及び交換装置異常報知部２７等を有する。特殊景品発行装置２は、外部には、図２に示すように、計数情報読取部２５の一要素である計数情報読取口２５Ａや、特殊景品貯蔵・排出部２６の一要素である特殊景品排出口２６Ａが設けられている。
【００１９】
なお、特殊景品発行装置２は、単独装置として構成されたものであっても良く、また、例えば、景品交換ＰＯＳ端末等の他の装置と融合された形態で構成されているものであっても良い。以下では、前者であるとして説明する。
【００２０】
対交換装置通信部２０は、制御部２１の制御下で、特殊景品交換装置３との通信を実行するものであり、この第１の実施形態の場合、その通信プロトコル等は任意である。
【００２１】
制御部２１は、当該特殊景品発行装置２の全体を制御して、特殊景品を発行させるものである
ジャーナルデータベース２２は、制御部２１の制御下で、特殊景品の発行ジャーナルが書き込まれるものである。特殊景品の発行ジャーナルは、例えば、発行日時、発行ＩＤ、計数ポイント等である。なお、特殊景品交換装置３の後述する特殊景品交換データベース３２にジャーナル機能も持たせ、当該特殊景品発行装置２のジャーナルデータベース２２を省略するようにしても良い。
【００２２】
発行ＩＤ発生部２３は、今回の特殊景品の発行に関する識別番号（以下、発行ＩＤと呼ぶ）を発生するものであり、例えば、乱数発生器を適用したものであっても良い。発行ＩＤ発生部２３は、発行ＩＤのユニーク性を、例えば、ジャーナルデータベース２２（又は後述する特殊景品交換データベース３２）の格納内容との照合により確認する。
【００２３】
非接触通信部２４は、制御部２１の制御下で、特殊景品に設けられているＩＣタグ（以下、特殊景品タグと呼ぶ）との通信を行うものであり、特殊景品タグに発行ＩＤを記録させるための通信や、特殊景品タグが記録している特殊景品固有番号を読み出すための通信を行うものである。非接触通信部２４は、例えば、後述する特殊景品貯蔵・排出部２６に貯蔵されている他の特殊景品タグに影響を与えずに、これから排出させる特殊景品タグとの間でのみ通信できる、特殊景品タグの搬送経路上に設けられている。又は、非接触通信部２４は、例えば、特殊景品タグの搬送経路上に設けられた電磁シールド空間内に設けられている。
【００２４】
ここで、特殊景品タグ１０は、図３に示すように、非接触通信部１１、メモリアクセス部１２及びメモリ部１３を有する。非接触通信部１１は、面状コイルを中心とした共振アンテナや変復調部が該当するものであり、特殊景品交換装置３の非接触通信部２４や、後述する特殊景品交換装置３の非接触通信部３４と通信を行うものである。メモリアクセス部１２は、メモリ部１３をアクセスするものである。上述したように、メモリ部１３には、適宜、発行ＩＤが記憶される。
【００２５】
この第１の実施形態の場合、特殊景品タグ１０は、無電源で共振エネルギーを通信のためのエネルギーとするものを意図しているが、電源を搭載しているものであっても良い。
【００２６】
特殊景品タグ１０は、特殊景品に埋め込まれたものであっても良く、その表面に貼付されたものであっても良く、また、特殊景品のケースに埋め込まれたり、貼付されたりしたものであっても良い。
【００２７】
図１に戻り、特殊景品発行装置２の計数情報読取部２５は、報償遊技媒体数の計数情報を読み取るものである。例えば、図示しない遊技媒体計数器が計数情報をレシートに印字出力するものであれば、計数情報読取部２５は、レシートの計数情報を文字認識処理により取り込む。また例えば、図示しない遊技媒体計数器が計数情報を記録した磁気カードやＩＣカードを発行したり、遊技者が所持するカード（例えば会員カード）に計数情報を記録するものであれば、計数情報読取部２５は、それらカードから計数情報を読み取る。計数情報読取部２５は、レシートやカードの回収機構を備えていても良く、読取り後のレシートやカードの返却機構を備えていても良い。
【００２８】
なお、遊技媒体計数器は、遊技場景品交換所等に設けられた計数専用機であっても良く、また、計数機能を備えたパチンコ遊技機やパチスロ遊技機の場合には、それら遊技機に設けられた計数器であっても良い。また、図１とは異なり、図示しない遊技媒体計数器から直接、又は、遊技場管理コンピュータ経由で、遊技媒体計数器が計数して得た計数情報を通信により、計数情報読取部２５が得るようにしても良い。さらには、特殊景品発行装置２が計数器を備えて計数情報を得るようにしても良い。
【００２９】
計数情報読取部２５が読み取った計数情報がそのまま、又は、所定の係数（０〜１の間の数）が掛けられて計数ポイントとなる。
【００３０】
特殊景品貯蔵・排出部２６は、未発行の多数の特殊景品を貯蔵しており、制御部２１の制御下で、１個の特殊景品の排出を行うものである。上記では、非接触通信部２４が、電磁シールド空間に設けられていても良いとしたが、特殊景品貯蔵・排出部２６における貯蔵部が電磁シールド空間に設けられていても良い。
【００３１】
交換異常報知部２７は、制御部２１の制御下で、特殊景品交換装置３側から異常が通知された際の報知を行うものである。報知は、聴覚的報知、視覚的報知等のいずれの方法によるものであっても良い。なお、特殊景品交換装置３における交換異常の報知機能を、遊技場管理コンピュータ（図示せず）に持たせた場合には、交換異常報知部２７を省略することができる。
【００３２】
特殊景品交換装置３は、特殊景品を交換品に交換するものであり、対発行装置通信部３０、制御部３１、特殊景品交換データベース３２、交換品貯蔵・払出部３３、非接触通信部３４、特殊景品取込部３５、異常報知部３６及び撮像部３７等を有する。特殊景品交換装置３は、外部には、図４に示すように、交換品貯蔵・払出部３３の一要素である交換品払出口３３Ａや、特殊景品取込部３５の一要素である特殊景品取込口３５Ａや、撮像部３７の一要素である撮像窓３７Ａが設けられている。
【００３３】
対発行装置通信部３０は、制御部３１の制御下で、特殊景品発行装置２との通信を実行するものである。
【００３４】
制御部３１は、当該特殊景品交換装置３の全体を制御して、特殊景品の交換品（例えば、金銭や商品検出などの物品）を発行させるものである
特殊景品交換データベース３２は、制御部３１の制御下で、交換品への交換が求められた特殊景品の正当性を判断し得る情報（交換情報）を格納しているものである。交換情報は、例えば、図５に示すように、発行ＩＤ、計数ポイント、交換日時（又は交換の実行有無）等であり、発行ＩＤ及び計数ポイントは、特殊景品発行装置２側から転送されてきた情報である。
【００３５】
交換品貯蔵・払出部３３は、特殊景品と交換する交換品（例えば、金銭や商品券、その他の物品）を貯蔵しており、制御部３１の制御下で、指示された量又は価値の交換品を払い出すものである。
【００３６】
非接触通信部３４は、制御部３１の制御下で、特殊景品に設けられている特殊景品タグとの通信を行うものであり、主として、特殊景品タグに記憶されている発行ＩＤ及び特殊景品固有番号を取り出すための通信を行うものである。非接触通信部３４は、例えば、電磁シールド空間に設けられる。
【００３７】
特殊景品取込部３５は、交換品への交換を行う特殊景品を取り込んで内部に回収するものである。特殊景品取込部３５における回収部分も、例えば、異なる電磁シールド空間に設けられていても良い。
【００３８】
異常報知部３６は、例えば、制御部３１が、交換品への交換が求められた特殊景品が不正なものと判断したときに、報知処理を行うものである。異常報知部３６による報知は、聴覚的な方法でも視覚的な報知でも良い。
【００３９】
撮像部３７は、例えばＣＣＤ撮像素子を備え、制御部３１の制御下で、特殊景品の交換品への交換を求めた者を撮像して、その画像データを内部記憶するものである。撮像部３７による撮像は、特殊景品の交換品への交換を求めた全ての遊技者に対して行っても良く、制御部３１が、交換品への交換が求められた特殊景品が不正なものと判断したときに、その特殊景品を挿入した遊技者に対して行っても良い。
【００４０】
（Ａ−２）第１の実施形態の動作
次に、第１の実施形態の特殊景品処理システム１の動作を、遊技者の動作と共に説明する。
【００４１】
図６は、第１の実施形態の特殊景品処理システム１の動作や遊技者の動作を示すシーケンス図である。
【００４２】
遊技者は、報償遊技媒体数を計数させ、その計数情報を特殊景品発行装置２に引き渡す（Ｓ１）。例えば、計数情報が印字されたレシート又は計数情報が記憶されたカード等の記録媒体を特殊景品発行装置２に挿入する。
【００４３】
特殊景品発行装置２においては、計数情報読取部２５がその計数情報を読み取る（Ｓ２）。その後、特殊景品発行装置２の制御部２１は、発行ＩＤ発生部２３によって発行ＩＤを発生（又は選択）させる（Ｓ３）。そして、特殊景品発行装置２の制御部２１は、対交換装置通信部２０により、発行ＩＤ及び計数ポイント（計数情報そのもの又はそれに係数を乗じたもの）を特殊景品交換装置３に送信する（Ｓ４）。
【００４４】
なお、上述した計数情報の読み取り処理で不正を認識した場合などには（例えば、挿入されたレシートやカードが所定のフォーマットのものでない場合）、異常報知部２７から報知させる。
【００４５】
特殊景品交換装置３の対発行装置通信部３０が発行ＩＤ及び計数ポイントを受信すると（Ｓ５）、制御部３１は、特殊景品交換データベース３２に、新たなレコードを設けて、受信した発行ＩＤ及び計数ポイントを記憶させ（Ｓ６）、記憶が終了すると、その旨を対発行装置通信部３０から返信させる（Ｓ７）。
【００４６】
なお、図６では省略しているが、特殊景品交換装置３の制御部３１は、受信した発行ＩＤが、特殊景品交換データベース３２に既に記憶されているような場合には、その旨を特殊景品交換装置３に返信し、特殊景品交換装置３は異常報知するか、又は、発行ＩＤの発生から処理をやり直す。
【００４７】
特殊景品発行装置２の制御部２１は、対交換装置通信部２０が返信を受信すると（Ｓ８）、ジャーナルデータベース２２に今回の特殊景品発行に係るジャーナルを書き込み（Ｓ９）、また、特殊景品貯蔵・排出部２６から１個の特殊景品を取り出し、非接触通信部２４によって、その特殊景品に発行ＩＤ及び計数ポイントを書き込む（Ｓ１０）。そして、制御部２１は、特殊景品排出口２６Ａから排出させる（Ｓ１１）。
【００４８】
遊技者は、排出された特殊景品を受領し（Ｓ１２）、特殊景品交換所に移動し（Ｓ１３）、特殊景品を特殊景品交換装置３の特殊景品挿入口３５Ａに挿入し（Ｓ１４）、特殊景品交換装置３は特殊景品を取り込む（Ｓ１５）。
【００４９】
特殊景品取込部３５から特殊景品の挿入が通知された制御部３１は、非接触通信部３４によって、挿入された特殊景品から発行ＩＤ及び計数ポイントを読み取らせ（Ｓ１６）、特殊景品交換データベース３２の記憶情報と照合させる（Ｓ１７）。
【００５０】
この照合により挿入された特殊景品の正当性が確認できると、制御部３１は、計数ポイント相当の交換品を、交換品払出部３３によって排出させ（Ｓ１８）、遊技者は、その交換品を受領する（Ｓ１９）。その後、制御部３１は、特殊景品取込部３５における回収領域に挿入された特殊景品を回収させ（Ｓ２０）、また、特殊景品交換データベース３２の該当レコードの交換日時フィールドに交換日時を書き込む（Ｓ２１）。なお、交換日時の書き込みに代え、特殊景品交換データベース３２の該当レコードの削除を行うようにしても良い。
【００５１】
図６では省略しているが、制御部３１は、挿入された特殊景品から読み取られた発行ＩＤ及び計数ポイントと、特殊景品交換データベース３２の記憶情報と照合し、照合不一致（異常）と判定したときには、撮像部３７によって、特殊景品を挿入した遊技者を撮像して撮像データを記憶させると共に、異常報知部３６から異常を報知させ、また、特殊景品発行装置２側にも異常を通知して異常を報知させる。
【００５２】
ここで、照合不一致（異常）と判定される場合は、特殊景品交換データベース３２に読み取られた発行ＩＤがない場合や、発行ＩＤがあるが、計数ポイントが異なる場合や、発行ＩＤ及び計数ポイントはあるが、交換日時にデータが書き込まれており、交換が既になされている場合等である。
【００５３】
（Ａ−３）第１の実施形態の効果
上記第１の実施形態の特殊景品発行装置、特殊景品交換装置及び特殊景品処理システムによれば、以下の効果を奏することができる。
【００５４】
特殊景品交換所の係員が介在することなく、特殊景品を交換品に交換でき、交換処理の迅速化を期待できる。また、報酬遊技媒体数の多少に拘わらず、発行する特殊景品が１個であるので、この面でも、交換処理の迅速化を期待できる。
【００５５】
また、特殊景品を発行する毎に発行ＩＤを発生（又は選択）して、特殊景品タグに書き込むと共に、特殊景品交換装置３で発行ＩＤの認証を行うので、不正を容易に発見することができる。また、特殊景品交換装置３における撮像部３７の撮像機能も、不正を抑圧させる効果を奏する。
【００５６】
さらに、特殊景品タグは、表面等にデータを記載するものではないので、不正を行い難いものとなっている。また、データを書き換えようとしても、特殊景品交換装置３で照合される発行ＩＤもあるので、書き換えるメリットがない。仮に、計数ポイントを書き換えられたとしても、特殊景品交換装置３で容易に発見される。
【００５７】
さらにまた、特殊景品タグは、非接触ＩＣタグであるので、専用の非接触通信部でなければ書き換えることができず、システムの安全性が高い。
【００５８】
（Ｂ）第２の実施形態
次に、本発明による特殊景品発行装置、特殊景品交換装置及び特殊景品処理システムの第２の実施形態を図面を参照しながら簡単に説明する。
【００５９】
第２の実施形態の特殊景品処理システムにおいては、特殊景品発行装置２や特殊景品交換装置３の機能的構成は、第１の実施形態と同様であるが、特殊景品タグ１０が固有番号を有している点が、第１の実施形態と異なっている。特殊景品タグ１０が固有番号を有しているため、第２の実施形態における動作も、第１の実施形態のものと異なっている。
【００６０】
なお、第２の実施形態における特殊景品タグ１０の固有番号は、その特殊景品の価値を意味する番号部分も含まれている。
【００６１】
図７は、第２の実施形態の特殊景品処理システム１の動作や遊技者の動作を示すシーケンス図であり、この図７を参照しながら、第２の実施形態の特殊景品処理システム１の動作（遊技者の動作を含む）を説明する。
【００６２】
遊技者は、報償遊技媒体数を計数させ、その計数情報を特殊景品発行装置２に引き渡す（Ｓ３１）。
【００６３】
特殊景品発行装置２においては、計数情報読取部２５がその計数情報を読み取る（Ｓ３２）。その後、特殊景品発行装置２の制御部２１は、発行ＩＤ発生部２３によって発行ＩＤを発生（又は選択）させ（Ｓ３３）、また、読み取った計数情報に対応する価値を有する１個の特殊景品を、特殊景品貯蔵・排出部２６から取り出し（この時点では排出させない）、非接触通信部２４によって固有番号を読み取る（Ｓ３４）。そして、特殊景品発行装置２の制御部２１は、対交換装置通信部２０により、発行ＩＤ及び特殊景品固有番号を特殊景品交換装置３に送信する（Ｓ３５）。
【００６４】
なお、第２の実施形態でも、上述した計数情報の読み取り処理で不正を認識した場合などには、異常報知部２７から報知させる。
【００６５】
特殊景品交換装置３の対発行装置通信部３０が発行ＩＤ及び特殊景品固有番号を受信すると（Ｓ３６）、制御部３１は、特殊景品交換データベース３２に、新たなレコードを設けて、受信した発行ＩＤ及び特殊景品固有番号を記憶させ（Ｓ３７）、記憶が終了すると、その旨を対発行装置通信部３０から返信させる（Ｓ３８）。
【００６６】
なお、図７では省略しているが、特殊景品交換装置３の制御部３１は、受信した発行ＩＤが、特殊景品交換データベース３２に既に記憶されているような場合には、その旨を特殊景品交換装置３に返信し、特殊景品交換装置３は異常報知するか、又は、発行ＩＤの発生から処理をやり直す。
【００６７】
特殊景品発行装置２の制御部２１は、対交換装置通信部２０が返信を受信すると（Ｓ３９）、ジャーナルデータベース２２に今回の特殊景品発行に係るジャーナル（第１の実施形態の計数ポイントに代え、特殊景品固有番号を含む）を書き込み（Ｓ４０）、また、固有番号を得た特殊景品を取り出し、非接触通信部２４によって、固有番号を得た特殊景品に発行ＩＤを書き込む（Ｓ４１）。そして、制御部２１は、特殊景品排出口２６Ａからその特殊景品を排出させる（Ｓ４２）。　なお、発行ＩＤの書き込みにより、特殊景品には、発行ＩＤと固有番号とが記憶された状態となる。
【００６８】
遊技者は、排出された特殊景品を受領し（Ｓ４３）、特殊景品交換所に移動し（Ｓ４４）、特殊景品を特殊景品交換装置３の特殊景品挿入口３５Ａに挿入し（Ｓ４５）、特殊景品交換装置３は特殊景品を取り込む（Ｓ４６）。
【００６９】
特殊景品取込部３５から特殊景品の挿入が通知された制御部３１は、非接触通信部３４によって、挿入された特殊景品から発行ＩＤ及び固有番号を読み取らせ（Ｓ４７）、特殊景品交換データベース３２の記憶情報と照合させる（Ｓ４８）。
【００７０】
この照合により、挿入された特殊景品の正当性が確認できると、制御部３１は、固有番号相当の交換品を、交換品払出部３３によって排出させ（Ｓ４９）、遊技者は、その交換品を受領する（Ｓ５０）。その後、制御部３１は、特殊景品取込部３５における回収領域に挿入された特殊景品を回収させ（Ｓ５１）、また、特殊景品交換データベース３２の該当レコードの交換日時フィールドに交換日時を書き込む（Ｓ５２）。なお、交換日時の書き込みに代え、特殊景品交換データベース３２の該当レコードの削除を行うようにしても良い。
【００７１】
図７では省略しているが、制御部３１は、挿入された特殊景品から読み取られた発行ＩＤ及び固有番号と、特殊景品交換データベース３２の記憶情報の照合により、異常と判定したときには、撮像部３７によって、特殊景品を挿入した遊技者を撮像して撮像データを記憶させると共に、異常報知部３６から異常を報知させ、また、特殊景品発行装置２側にも異常を通知して異常を報知させる。
【００７２】
ここで、異常と判定される場合は、特殊景品交換データベース３２に読み取られた発行ＩＤ及び固有番号がない場合や、発行ＩＤがあるが、固有番号が空欄の場合や、発行ＩＤ及び固有番号はあるが、交換日時にデータが書き込まれており、交換が既になされている場合等である。
【００７３】
第２の実施形態によれば、計数ポイントに代え、特殊景品の固有番号を用いているが、第１の実施形態と同様な効果を奏することができる。
【００７４】
（Ｃ）他の実施形態
上記各実施形態の説明でも変形実施形態に言及したが、さらに、以下に例示するような変形実施形態も挙げることができる。
【００７５】
上記各実施形態では、特殊景品交換装置３だけが撮像部を有するものを示したが、特殊景品発行装置２にも撮像部を設けるようにしても良い。この場合において、特殊景品発行装置２の撮像部による撮像は、特殊景品の発行を求めた全ての遊技者に対して行っても良く、また、計数情報の読み取り処理等で異常を認識したときに、その際に、特殊景品の発行を求めた遊技者に対して行っても良い。
【００７６】
また、上記各実施形態では、特殊景品発行装置２が特殊景品を発行する際に、発行ＩＤや計数ポイント（又は固有番号）を、特殊景品交換装置３に送信するものを示したが、特殊景品発行装置２が特殊景品を発行する際には、自己のデータベースに対する発行ＩＤや計数ポイント（又は固有番号）の格納処理だけを行い、特殊景品交換装置３が、特殊景品が挿入された際に、挿入された特殊景品の発行ＩＤをキーとして、特殊景品発行装置２のデータベースから計数ポイント（又は固有番号）等を取り出して、交換品への交換処理を行うようにしても良い。
【００７７】
さらに、特殊景品発行装置２が、情報転送中継装置（例えば、遊技場管理コンピュータ）のデータベースに発行ＩＤや計数ポイント（又は固有番号）を与えて記憶させ、特殊景品交換装置３が、挿入された特殊景品の発行ＩＤをキーとして、情報転送中継装置のデータベースに対する計数ポイント（又は固有番号）等を取り出して、交換品への交換処理を行うようにしても良い。
【００７８】
さらにまた、上記各実施形態では、特殊景品を発行する際に計数情報に端数が生じてもそれを切り捨てるか、又は、端数が生じないように処理する場合を示したが、計数情報を読み取らせるために挿入されたレシートやカードに端数を印字又は記憶させて、端数を返却させるようにしても良い。
【００７９】
また、上記各実施形態では、特殊景品に発行ＩＤと計数ポイント又は固有番号を書き込むものを示したが、発行ＩＤだけを記憶させるようにしても良く、発行ＩＤをキーとして、計数ポイント又は固有番号を読み出すようにしても良い。また、価値に関係ない固有番号だけを記憶させておき、固有番号をキーとして、計数情報に関連した情報を取り出すようにしても良い。
【００８０】
さらに、複数の遊技場又は複数の遊技場運営会社に共通に特殊景品交換装置３を設けるようにしても良く、この場合、特殊景品に、遊技場若しくは遊技場運営会社の区別情報をも書き込むようにしても良く、又は、特殊景品交換装置３のデータベース若しくはそれと同様に機能するデータベースに、発行ＩＤなどを書き込む際に、遊技場若しくは遊技場運営会社の区別情報をも書き込むようにしても良い。
【００８１】
さらにまた、上記各実施形態では、１個の計数情報に対して１個の特殊景品を発行するものを示したが、１個の計数情報に対し、その値に応じた複数の特殊景品（価値が異なっていても良い）を発行するようにしても良い。この場合、各特殊景品に発行ＩＤだけを記憶すると共に、データベースに発行ＩＤに対応付け、価値ごとの特殊景品の発行個数を記憶し、発行ＩＤが同じ該当する個数の特殊景品が挿入されたときに、特殊景品交換装置３が交換品を排出するようにしても良い。
【００８２】
また、上記各実施形態では、特殊景品発行装置２が特殊景品タグに対して自動的に発行ＩＤなどを書き込むものを示したが、遊技者又は係員が排出された特殊景品を特殊景品発行装置２の所定の部位にかざすことにより発行ＩＤなどを特殊景品に書き込むようにしても良い。
【００８３】
さらに、上記各実施形態では、特殊景品発行装置２が計数情報を読み取るものであったが、遊技者が計数情報を書き込んだレシートを係員に渡し、係員がキー入力によって、計数情報を特殊景品発行装置２に入力させるようにしても良い。
【００８４】
さらにまた、特殊景品発行装置２が発行した特殊景品の１日当たり又は１月当たりなどの所定期間毎の発行数などの統計情報を管理、記憶し、また、特殊景品交換装置３が１日当たり又は１月当たりなどの所定期間毎の交換数などの統計情報を管理、記憶するようにしても良い。また、このような統計情報を、情報転送中継装置（例えば、遊技場管理コンピュータ）が管理、記憶するようにしても良い。さらには、このような統計情報を、通信処理により、金融機関の情報処理装置などに与えて、交換品の補充などの前処理を容易にするようにしても良い。
【００８５】
また、特殊景品発行装置２が特殊景品タグに書き込む情報を暗号化し、特殊景品交換装置３が特殊景品タグからの情報を復号して処理するようにしても良い。通信路を介して行う特殊景品発行装置２及び特殊景品交換装置３間の情報授受も、暗号化を利用するようにしても良い。
【００８６】
第２の実施形態において、特殊景品の固有番号は価値情報を含んでいたが、これに代え、交換品の種類情報を含むようにしても良い。
【００８７】
【発明の効果】
以上のように、本発明の特殊景品発行装置、特殊景品交換装置及び特殊景品処理システムによれば、報償遊技媒体数から特殊景品への交換や特殊景品から交換品への交換などを大幅に自動でき、処理を迅速にできると共に、自動化しても、十分なセキュリティを確保することができる。
【図面の簡単な説明】
【図１】第１の実施形態の特殊景品処理システムの全体構成を示すブロック図である。
【図２】第１の実施形態の特殊景品発行装置の外観を示す概略斜視図である。
【図３】第１の実施形態の特殊景品タグの詳細構成を示すブロック図である。
【図４】第１の実施形態の特殊景品交換装置の外観を示す概略斜視図である。
【図５】第１の実施形態の特殊景品交換データベースの格納内容の説明図である。
【図６】第１の実施形態の特殊景品処理システムの動作等を示すシーケンス図である。
【図７】第２の実施形態の特殊景品処理システムの動作等を示すシーケンス図である。
【符号の説明】
１…特殊景品処理システム、２…特殊景品発行装置、３…特殊景品交換装置、４…通信路、１０…特殊景品タグ、１１…非接触通信部、１２…メモリアクセス部、１３…メモリ部、２０…対交換装置通信部、２１…制御部、２２…ジャーナルデータベース、２３…発行ＩＤ発生部、２４…非接触通信部、２５…計数情報読取部、２６…特殊景品貯蔵・排出部、２７…交換装置異常報知部、３０…対発行装置通信部、３１…制御部、３２…特殊景品交換データベース、３３…交換品貯蔵・払出部、３４…非接触通信部、３５…特殊景品取込部、３６…異常報知部、３７…撮像部。
【図１】
2004121452.tif 000003
【図２】
2004121452.tif 000004
【図３】
2004121452.tif 000005
【図４】
2004121452.tif 000006
【図５】
2004121452.tif 000007
【図６】
2004121452.tif 000008
【図７】
2004121452.tif 000009